(57)【特許請求の範囲】
【請求項１】
トイレットペーパーがロール状に巻回されたトイレットペーパーロールを回転自在に支持する支持軸と、該トイレットペーパーロールから引き出されたトイレットペーパーを幅方向に切断するための紙切り刃を備えたトイレットペーパー保持体であって、
前記支持軸を、前記トイレットペーパーロールの軸中心に形成された円筒状の軸挿入部より小径で、該軸挿入部の径方向に対し変位が許容される外径に形成し、
前記トイレットペーパーロールの外周面と対向する位置に、該トイレットペーパーロールの軸芯と直交してロール押圧板を回動自在に枢着し、
前記ロール押圧板の後端側に、前記ロール押圧板の前端側が前記トイレットペーパーロールの外周面に対し押し付けられ、該トイレットペーパーロールが前記支持軸を中心として斜め上方に押し上げられる方向に前記ロール押圧板を回動付勢する押圧板付勢手段を設け、
前記ロール押圧板の前端側上面に、前記トイレットペーパーロールの外周面に押し付けられる突起を設け、
前記ロール押圧板の前端側縁部に、該ロール押圧板の前端側上面がトイレットペーパーロールの外周面から引き離される方向に回動操作するための操作部を設けた
トイレットペーパー保持体。
【請求項２】
前記突起を、前記ロール押圧板の前端側から後端側に向けて徐々に小さくなる順に複数配列した
請求項１に記載のトイレットペーパー保持体。
【請求項３】
前記支持軸と巻き芯の対向面に、該支持軸と巻き芯を同一方向へ回転するのに必要な接触抵抗を付与する接触抵抗付与手段を設けた
請求項１又は２に記載のトイレットペーパー保持体。
【発明の詳細な説明】
【技術分野】
【０００１】
この発明は、トイレットペーパーロールからトイレットペーパーを送り出す操作が簡単且つ容易に行えるトイレットペーパー保持体に関する。
【背景技術】
【０００２】
前記トイレットペーパーロールを保持する保持体の一般的な構造としては、ホルダーに保持されたトイレットペーパーロールの上側からトイレットペーパーを引き出す構造のものがある。しかし、トイレットペーパーロールの上面側が上部カバーで覆われているため、先に引っ張り出されたトイレットペーパーを切り離した際に、次に引っ張り出されるトイレットペーパーの端部が上部カバーの下側に残ってしまうことがある。このため、トイレットペーパーの端部を指で摘んで引っ張り出すことができない。また、上部カバーを開けて、トイレットペーパーの端部を上部カバーの前端側より前方へ引っ張り出さなければならず、トイレットペーパーを引っ張り出す作業に手間が掛かる。
【０００３】
他の例の構造としては、例えば紙送りローラの端部に取り付けられた取っ手を回動操作して、トイレットペーパーロールの外周面に押し付けられた紙送りローラを送り出し方向へ回転させ、その回転力によって、トイレットペーパーロールのロール引き出し端を下部カバーの正面側に引き出して使用する特許文献１のトイレットペーパーホルダーがある。
【０００４】
しかし、トイレットペーパーを使用する際に、取っ手を回動操作して、紙送りローラの回転によってトイレットペーパーロールを送り出し方向へ回転させなければならず、トイレットペーパーを送り出す操作に手間及び時間が掛かる。また、トイレットペーパーのロール径が小さくなるほど、トイレットペーパーロールに対する紙送りローラの押し付け力が徐々に弱くなるため、紙送りローラとトイレットペーパーロールの間にスリップが生じやすく、トイレットペーパーの引き出しミスが起きやすくなる。また、下部カバーに、紙送りローラや取っ手を取り付けるため、ホルダー全体の構造が複雑になる。
【先行技術文献】
【特許文献】
【０００５】
【特許文献１】実用新案登録第３０６３３４５号
【発明の概要】
【発明が解決しようとする課題】
【０００６】
この発明は、トイレットペーパーロールからトイレットペーパーを送り出す操作が簡単且つ容易に行えるトイレットペーパー保持体を提供することを目的とする。
【課題を解決するための手段】
【０００７】
この発明は、トイレットペーパーがロール状に巻回されたトイレットペーパーロールを回転自在に支持する支持軸と、該トイレットペーパーロールから引き出されたトイレットペーパーを幅方向に切断するための紙切り刃を備えたトイレットペーパー保持体であって、前記支持軸を、前記トイレットペーパーロールの軸中心に形成された円筒状の軸挿入部より小径で、該軸挿入部の径方向に対し変位が許容される外径に形成し、前記トイレットペーパーロールの外周面と対向する位置に、該トイレットペーパーロールの軸芯と直交してロール押圧板を回動自在に枢着し、前記ロール押圧板の後端側に、前記ロール押圧板の前端側が前記トイレットペーパーロールの外周面に対し押し付けられ、該トイレットペーパーロールが前記支持軸を中心として斜め上方に押し上げられる方向に前記ロール押圧板を回動付勢する押圧板付勢手段を設け、前記ロール押圧板の前端側上面に、前記トイレットペーパーロールの外周面に押し付けられる突起を設け、前記ロール押圧板の前端側縁部に、該ロール押圧板の前端側上面がトイレットペーパーロールの外周面から引き離される方向に回動操作するための操作部を設けたトイレットペーパー保持体であることを特徴とする。
【０００９】
また、この発明の態様として、前記突起を、前記ロール押圧板の前端側から後端側に向けて徐々に小さくなる順に複数配列することができる。
【００１１】
また、この発明の態様として、前記支持軸と巻き芯の対向面に、該支持軸と巻き芯を同一方向へ回転するのに必要な接触抵抗を付与する接触抵抗付与手段を設けることができる。
【００１２】
前記トイレットペーパーロールは、例えば円筒状に形成された紙製又はプラスチック製の巻き芯の外周面にトイレットペーパーを巻回してなる芯有りロール、或いは、トイレットペーパーをロール状に巻回してなる芯無しロールで構成することができる。
【００１３】
押圧板付勢手段は、例えばダブルトーションバネ、コイルバネ、板バネなどのバネ、或いは、合成ゴム等で構成することができる。
【００１４】
また、接触抵抗付与手段は、例えば柔軟性を有する合成ゴム製の粘着部材、或いは、ローレット、梨地、シボ、或いは、互いに噛合されるギャ、凹凸等で構成することができる。
【発明の効果】
【００１５】
この発明によれば、トイレットペーパーロールからトイレットペーパーを送り出す操作が簡単且つ容易に行えるとともに、所望する長さだけ引っ張り出して使用することができる。また、全体の構造及び構成を可能な限り簡素化して、安価に製作することができる。
【図面の簡単な説明】
【００１６】
【図１】トイレットペーパー保持体の外観を示す斜視図。
【図２】トイレットペーパーロールの保持構造を示す縦断側面図。
【図３】トイレットペーパーの送り出し動作を示す縦断側面図。
【図４】トイレットペーパーロールの保持構造を示すＡ−Ａ線矢視断正面図。
【図５】トイレットペーパーロールの保持構造を示すＢ−Ｂ線矢視断平面図。
【図６】ロール押圧板の前端側上面が滑らかな曲面に形成されたトイレットペーパー保持体の他の例を示す縦断側面図。
【図７】支持軸の外周面に粘着部材が装着されたトイレットペーパー保持体の他の例を示す縦断側面図。
【図８】支持軸と巻き芯の対向面にギャが刻設されたトイレットペーパー保持体の他の例を示す縦断側面図。
【図９】トイレットペーパーロールの上側からトイレットペーパーを送り出すトイレットペーパー保持体の他の例を示す縦断側面図。
【発明を実施するための形態】
【実施例】
【００１７】
図１は、トイレットペーパーロールＡを保持するトイレットペーパー保持体１の外観を示す斜視図、図２は、トイレットペーパーロールＡの保持構造を示す縦断側面図、図３は、トイレットペーパーＡａの送り出し動作を示す縦断側面図、図４は、トイレットペーパーロールＡの保持構造を示すＡ−Ａ線矢視断正面図、図５は、トイレットペーパーロールＡの保持構造を示すＢ−Ｂ線矢視断平面図である。
【００１８】
本実施例のトイレットペーパー保持体１は、上方から見てコの字形状に形成された金属製の保持板２と、保持板２の中央板２ａに形成された左右側板２ｂ，２ｂの前端側中央対向面間に軸架され、トイレットペーパーＡａがロール状に巻回されたトイレットペーパーロールＡを正逆回転自在に支持する支持軸３と、側板２ｂ，２ｂの後端側下部対向面間に取り付けられ、トイレットペーパーロールＡの下部外周面と対向する方向に対し上下回動自在に枢着されたロール押圧板４と、ロール押圧板４をトイレットペーパーロールＡの下部外周面に対し押し付けられる方向に回動付勢するダブルトーションバネ５とで構成される。
【００１９】
つまり、トイレットペーパーロールＡは、保持板２の側板２ｂ，２ｂ間に対しトイレットペーパーロールＡの下側からトイレットペーパーＡａが前方へ送り出されるように保持される。  
また、トイレットペーパーロールＡの下側から送り出されたトイレットペーパーＡａは、ロール押圧板４の前端側に形成された紙切り刃４ｄによって幅方向に切断される。なお、保持板２は、トイレの壁面等に取り付けられる。
【００２０】
トイレットペーパーロールＡは、円筒状に形成された紙製又はプラスチック製の巻き芯Ａｂの外周面に、トイレットペーパーＡａが長手方向に連続して巻回されている。また、巻き芯Ａｂの内径は、後述する支持軸３の外径より大径に形成され、該支持軸３の径方向に対し変位が許容される内径に形成されている。
【００２１】
なお、トイレットペーパーＡａの幅方向には、図示しないミシン目が形成されており、該ミシン目は、トイレットペーパーＡａの長手方向に対し所定間隔に隔てて形成されている。
【００２２】
保持板２は、アルミニウム合金からなる金属製の薄板を上方から見てコの字形状に折り曲げて形成されている。  
該保持板２の中央板２ａは、正面から見て略矩形に形成されている。また、中央板２ａの前面側両端には、前記支持軸３の両端を正逆回転自在に支持するための側板２ｂ，２ｂが正面に向けて一体的に連設されている。
【００２３】
側板２ｂ，２ｂは、中央板２ａの正面と直交して、前方に向けて平行して形成されている。また、トイレットペーパーロールＡの巻回幅より幅広で、支持軸３の両端が支持される間隔に隔てて形成されている。
【００２４】
側板２ｂの前端側中央対向面には、支持軸３の両端に突出された軸部３ｆを正逆回転自在に軸受するための孔部２ｆが形成されている。また、孔部２ｆが形成された部分の前端側対向面には、支持軸３の軸部３ｆを側板２ｂの孔部２ｆに対して挿入される位置にガイドするための凹溝２ｃが形成されている。
【００２５】
凹溝２ｃは、孔部２ｆを基準として、該孔部２ｆが形成された部分から側板２ｂの前端側に向けて徐々に広くなる溝幅及び溝深さに形成されている。
【００２６】
つまり、トイレットペーパーロールＡの巻き芯Ａｂに支持軸３を挿入した後、該巻き芯Ａｂの両端より外側に突出された支持軸３の軸部３ｆを、側板２ｂの凹溝２ｃに前端側から差し込むとともに、側板２ｂの前端側から後端側に向けて移動させる。
【００２７】
支持軸３の軸部３ｆが、凹溝２ｃによって孔部２ｆに対し挿入される位置にガイドされるので、支持軸３の軸部３ｆを側板２ｂの凹溝２ｃに沿って差し込むだけで、側板２ｂの孔部２ｆに対して支持軸３の軸部３ｆを確実且つ正確に挿入することができる。
【００２８】
支持軸３は、一端側が閉塞された大径側の筒体３ａと小径側の筒体３ｂで構成され、トイレットペーパーロールＡの軸中心に形成された巻き芯Ａｂに挿入される軸径に形成されている。
【００２９】
支持軸３の後述する鍔部３ｇ，３ｇより内側の外径は、巻き芯Ａｂの内径より小径に形成され、該巻き芯Ａｂの径方向に対し変位が許容される外径に形成されている。また、大径側筒体３ａの開口された他端側には、小径側筒体３ｂの開口された他端側が軸方向に対し前後摺動自在に挿入されている。
【００３０】
筒体３ａの他端側外周面に沿って軸方向に形成された一対の長孔３ｃには、側筒体３ｂの他端側外周面に形成された一対の爪部３ｄが係止されている。これにより、筒体３ａに対し筒体３ｂが抜止めされている。
【００３１】
筒体３ａ，３ｂの内部には、該筒体３ａ，３ｂを軸方向に伸長するためのコイルスプリング３ｅが圧縮して装填されている。
【００３２】
筒体３ａ，３ｂの閉塞側中心部には、側板２ｂの孔部２ｆに挿入するための軸部３ｆが軸方向に突出されている。
【００３３】
筒体３ａ，３ｂの一端側外周面には、トイレットペーパーロールＡを筒体３ａ，３ｂの一端側より内側に支持された位置に規制するための鍔部３ｇが形成されている。
【００３４】
つまり、支持軸３は、筒体３ａ，３ｂの軸部３ｆが側板２ｂ，２ｂの孔部２ｆから抜き取られる縮長状態と、該筒体３ａ，３ｂの軸部３ｆが側板２ｂ，２ｂの孔部２ｆに挿入される伸長状態とに伸縮自在に設けられている。
【００３５】
ロール押圧板４は、支持軸３によって支持されたトイレットペーパーロールＡの下部外周面と対向する位置に配置され、該トイレットペーパーロールＡの下部外周面と対応して側面から見て滑らかな曲面を有する弧形状に形成されている。また、下方から見てトイレットペーパーロールＡの巻回幅より幅広に形成され、保持板２の側板２ｂ，２ｂ間より幅狭に形成されている。
【００３６】
ロール押圧板４の後端側には、該ロール押圧板４の後端側を側板２ｂ，２ｂの後端側下部対向面間に対し枢着するための筒状の軸受部４ａが幅方向に形成されている。
【００３７】
軸受部４ａの両端には、側板２ｂの後端側下部外面に対し外側から厚み方向に挿通されたネジ部材６が螺合されている。
【００３８】
つまり、ロール押圧板４は、ネジ部材６を中心として、トイレットペーパーロールＡの軸芯と直交して該トイレットペーパーロールＡの下部外周面と対向する方向に対し上下回動自在に軸支されている。
【００３９】
なお、ネジ部材６に代わる軸支構造として、例えばロール押圧板４の軸受部４ａに対し該ロール押圧板４の横幅より長尺に形成された支軸を挿入し、軸受部４ａの両端面より外側に突出された支軸の両端を、側板２ｂの後端側下部対向面に対し回動不可にネジ止め固定してもよい。
【００４０】
軸受部４ａの中央部には、後述するダブルトーションバネ５を装着するための開口部４ｂが切欠き形成されている。また、開口部４ｂの対向端面間には、ダブルトーションバネ５を装着するための支軸４ｃが幅方向に架設されている。
【００４１】
開口部４ｂは、ダブルトーションバネ５を装着する部分の支軸４ｃ外周面が露出されるとともに、該ダブルトーションバネ５の装着が許容される大きさ及び形状に形成されている。
【００４２】
開口部４ｂに露出された支軸４ｃの外周面には、ロール押圧板４を、トイレットペーパーロールＡの下部外周面に対し押し付けられる方向に回動付勢するためのダブルトーションバネ５が装着されている。
【００４３】
ダブルトーションバネ５の左右端部５ａ，５ａは、中央板２ａの下端側縁部に係止されている。また、ダブルトーションバネ５の中央部に形成された係止部５ｂは、開口部４ｂの下面側縁部に係止されている。
【００４４】
ダブルトーションバネ５の復元力は、支持軸３を中心として、未使用のトイレットペーパーロールＡが後側斜め上方に押し上げられるとともに、支持軸３の前側外周面に対し巻き芯Ａｂの前側内周面が押し付けられた状態が維持される復元力に設定されている。
【００４５】
ロール押圧板４に形成された後述する紙切り刃４ｄ直後の前端側上面は、トイレットペーパーロールＡの前側下部外周面に沿って押し付けられる曲面に形成されている。
【００４６】
ロール押圧板４の前端側には、トイレットペーパーロールＡの下側から引っ張り出されるトイレットペーパーＡａを幅方向に切断するための櫛歯形状の紙切り刃４ｄが一体的に形成されている。なお、紙切り刃４ｄを、ロール押圧板４の前端側に対し着脱自在に設けてもよい。
【００４７】
紙切り刃４ｄ直後の前端側上面には、側面から見て半円形状の突起４ｅ，４ｆ，４ｇが複数条形成されている。  
突起４ｅ，４ｆ，４ｇは、トイレットペーパーＡａの外周面に対し前記紙切り刃４ｄより先に押し付けられる大きさ及び形状に形成されている。  
また、突起４ｅ，４ｆ，４ｇは、ロール押圧板４の幅方向と平行する方向に向けて連続して形成され、ロール押圧板４の前端側から後端側に向けて徐々に小さくなる順（大中小）に配列されている。
【００４８】
つまり、ロール押圧板４の突起４ｅ，４ｆ，４ｇをトイレットペーパーロールＡの前側下部外周面に押し付けることにより、トイレットペーパーロールＡが後側斜め上方に向けて積極的に押し上げられる。
【００４９】
ロール押圧板４の前端側左右縁部には、該ロール押圧板４の前端側上面をトイレットペーパーロールＡの外周面から引き離される方向に押し下げ操作するための操作部４ｈが一体的に設けられている。
【００５０】
操作部４ｈは、側板２ｂより外側に突出する長さに形成されるとともに、トイレットペーパーＡａを使用する人の手で押し下げ操作される大きさ及び形状に形成されている。なお、操作部４ｈを、ロール押圧板４の前端側左右縁部のいずれか一方に設けてもよい。
【００５１】
図示実施例は前記の如く構成するものにして、以下、トイレットペーパー保持体１に保持されたトイレットペーパーロールＡからトイレットペーパーＡａを送り出す際の操作方法を説明する。
【００５２】
先ず、ロール押圧板４の操作部４ｈを手の指によって押し下げ、ロール押圧板４を、ダブルトーションバネ５の復元力に抗して、軸受部４ａを中心として前側斜め下方へ回動する。  
これにより、保持板２の前面側がトイレットペーパーロールＡの装填が許容される大きさに開放される。
【００５３】
この後、トイレットペーパーロールＡを、保持板２の側板２ｂ，２ｂ間に正面側から挿入するとともに、トイレットペーパーロールＡの巻き芯Ａｂに挿入された支持軸３の軸部３ｆを側板２ｂ，２ｂの孔部２ｆに挿入して、トイレットペーパーロールＡを前後回転自在に保持する（図１、図２参照）。
【００５４】
ロール押圧板４の操作部４ｈから指を離すと、ダブルトーションバネ５に蓄積された復元力によって、ロール押圧板４が上方へ回動され、トイレットペーパーロールＡの下部外周面に対し押し付けられる状態に復帰する。
【００５５】
つまり、ロール押圧板４の紙切り刃４ｄより後側の前端側上面が、支持軸３によって支持されたトイレットペーパーロールＡの前側下部外周面に押し付けられるとともに、その押し付け部分に生じる接触抵抗によってトイレットペーパーロールＡが回転停止状態に保たれる。
【００５６】
また、ロール押圧板４の押し付け力によってトイレットペーパーロールＡが後側斜め上方に向けて押し上げられ、支持軸３の上側外周面より前側外周面に巻き芯Ａｂの前側内周面が押し付けられる。
【００５７】
また、支持軸３の外周面と巻き芯Ａｂの内周面が該支持軸３の軸芯より前側で互いに接触されるとともに、トイレットペーパーロールＡの軸芯が支持軸３の軸芯より後側に位置した状態に保持される（図２中に示す実線）。
【００５８】
次に、トイレットペーパー保持体１からトイレットペーパーＡａを所望する長さだけ引っ張り出す場合、ロール押圧板４の操作部４ｈを手の指によって押し下げる。
【００５９】
ロール押圧板４を、ダブルトーションバネ５の復元力に抗して、トイレットペーパーロールＡの前側下部外周面から引き離される前側斜め下方へ回動し、トイレットペーパーロールＡに対するロール押圧板４の押し付け力を解除する。  
これにより、トイレットペーパーロールＡの回転停止が解除され、正逆回転自在となる（図２中に示す仮想線）。
【００６０】
ロール押圧板４によってトイレットペーパーロールＡが後側斜め上方に押し上げられている間は、トイレットペーパーロールＡの軸芯が支持軸３の軸芯より後側に位置している。
【００６１】
しかし、ロール押圧板４の前端側上面がトイレットペーパーロールＡの前側下部外周面から引き離されると同時に、トイレットペーパーロールＡの全体が下方へ回転され、トイレットペーパーロールＡの軸芯が支持軸３の軸芯の下方に移動される。
【００６２】
支持軸３と巻き芯Ａｂの接触部分に生じる接触抵抗によって、支持軸３の軸芯を中心として、支持軸３と巻き芯Ａｂが、トイレットペーパーロールＡの下側からトイレットペーパーＡａの端部が送り出される方向（図中に示す矢印方向）へ回転され、支持軸３と巻き芯Ａｂの接触部分が略真上に移動される。
【００６３】
真上に移動された支持軸３と巻き芯Ａｂの接触部分を中心として、トイレットペーパーロールＡが、トイレットペーパーＡａの端部が送り出される方向に向けて回転されるので、巻き芯Ａｂに巻回されたトイレットペーパーＡａの端部がロール押圧板４の上面に沿って前方へ送り出され、ロール押圧板４の紙切り刃４ｄより前方へ送り出される。
【００６４】
つまり、ロール押圧板４の操作部４ｈを押し下げるだけで、トイレットペーパーロールＡが、トイレットペーパーロールＡの下側からトイレットペーパーＡａが送り出される方向に回転される。
【００６５】
また、ロール押圧板４の操作部４ｈから指を離すと、ダブルトーションバネ５の復元力によって、ロール押圧板４が上方へ回動され、トイレットペーパーロールＡの前側下部外周面に対し押し付けられる状態に復帰する。
【００６６】
したがって、ロール押圧板４の操作部４ｈを押し下げる操作を繰り返すことにより、トイレットペーパーＡａの送り出し側端部がロール押圧板４の上面に沿って、該ロール押圧板４の紙切り刃４ｄより前方へ送り出される（図３参照）。  
この後、トイレットペーパーＡａの送り出し側端部を指で摘んで、所望する長さだけ引っ張り出すとともに、ロール押圧板４の紙切り刃４ｄで切断して使用する。
【００６７】
これにより、トイレットペーパーロールＡからトイレットペーパーＡａを送り出す操作が簡単且つ容易に行えるとともに、所望する長さだけ引っ張り出して使用することができる。
【００６８】
また、ロール押圧板４の操作部４ｈから指を離すと、ダブルトーションバネ５の復元力によって、ロール押圧板４が上方へ回動され、トイレットペーパーロールＡの前側下部外周面に対し押し付けられる。
【００６９】
これにより、トイレットペーパーロールＡが回転停止状態に保たれるため、トイレットペーパーロールＡが、トイレットペーパーＡａを送り出す方向に回転しようとするのを防止することができる。
【００７０】
トイレットペーパーロールＡから引っ張り出したトイレットペーパーＡａを、ロール押圧板４の紙切り刃４ｄで切断する際に、トイレットペーパーロールＡが回転するか、切断位置が変位することがなく、所望する長さだけ引っ張り出した位置で正確に切断することができる。  
さらに、トイレットペーパー保持体１の全体の構造及び構成を可能な限り簡素化して、安価に製作することができる。
【００７１】
また、支持軸３を正逆回転不可に固定すれば、ロール押圧板４によってトイレットペーパーロールＡが後側斜め上方へ押し上げられる際に、巻き芯Ａｂの前側内周面が支持軸３の上側外周面に順次移動されるので、トイレットペーパーロールＡを、トイレットペーパーＡａが送り出される方向へ確実に回転させることができる。
【００７２】
図６は、ロール押圧板４の前端側上面が、トイレットペーパーロールＡの外周面と対応して滑らかな曲面に形成されたトイレットペーパー保持体１の他の例を示す縦断側面図である。
【００７３】
本例のトイレットペーパー保持体１は、ロール押圧板４の前端側上面に前記突起４ｅ，４ｆ，４ｇが形成されておらず、該ロール押圧板４の前端側上面がトイレットペーパーロールＡの外周面と対応して滑らかな曲面に形成されている。
【００７４】
つまり、ロール押圧板４の前端側上面をトイレットペーパーロールＡの前側下部外周面に押し付けて、トイレットペーパーロールＡを後側斜め上方に押し上げて回転停止状態に保持する。
【００７５】
また、ロール押圧板４を押し下げて、トイレットペーパーロールＡを、トイレットペーパーＡａの送り出し側端部がロール押圧板４の紙切り刃４ｄより前方へ送り出される方向（図中に示す矢印方向）に回転させる。
【００７６】
これにより、ロール押圧板４の前端側上面に突起４ｅ，４ｆ，４ｇを形成しなくしても、前記実施例と略同等の作用及び効果を奏することができる。
【００７７】
図７は、支持軸３の外周面に、該支持軸３と巻き芯Ａｂを送り出し方向へ回転するのに必要な接触抵抗を付与するシート状の粘着部材７が装着されたトイレットペーパー保持体１の他の例を示す縦断側面図である。
【００７８】
本例のトイレットペーパー保持体１は、ロール押圧板４を押し下げて、ロール押圧板４の前端側上面をトイレットペーパーロールＡの前側下部外周面から引き離すと同時に、支持軸３に装着された粘着部材７の接触抵抗によって、支持軸３と巻き芯Ａｂが、トイレットペーパーロールＡからトイレットペーパーＡａが送り出される方向（図中に示す矢印方向）に向けて一体的に回転される。
【００７９】
つまり、トイレットペーパーＡａの送り出し側端部がロール押圧板４の紙切り刃４ｄより前方へ送り出されるので、トイレットペーパーＡａの送り出し側端部を指で摘んで、所望とする長さだけ引っ張り出して使用することができる。これにより、前記実施例と略同等の作用及び効果を奏することができる。
【００８０】
なお、粘着部材７を、巻き芯Ａｂの内周面に装着するか、支持軸３の外周面及び巻き芯Ａｂの内周面に装着してもよい。
【００８１】
図８は、支持軸３の外周面と巻き芯Ａｂの内周面とに、互いに噛合するギア８，９が刻設されたトイレットペーパー保持体１の他の例を示す縦断側面図である。
【００８２】
本例のトイレットペーパー保持体１は、ロール押圧板４を押し下げて、ロール押圧板４の前端側上面をトイレットペーパーロールＡの前側下部外周面から引き離すと同時に、支持軸３及び巻き芯Ａｂに刻設されたギア８，９の噛合によって、支持軸３と巻き芯Ａｂが、トイレットペーパーロールＡからトイレットペーパーＡａが送り出される方向（図中に示す矢印方向）に向けて一体的に回転される。
【００８３】
つまり、トイレットペーパーＡａの送り出し側端部がロール押圧板４の紙切り刃４ｄより前方へ送り出されるので、トイレットペーパーＡａの送り出し側端部を指で摘んで、所望する長さだけ引っ張り出して使用することができる。これにより、前記実施例と略同等の作用及び効果を奏することができる。
【００８４】
なお、粘着部材７及びギア８，９に代わる接触抵抗付与手段として、例えば支持軸３と巻き芯Ａｂの対向面に、ローレットを刻設するか、梨地やシボを加工する等してもよい。
【００８５】
図９は、トイレットペーパーロールＡのトイレットペーパーＡａを、該トイレットペーパーロールＡの上側から送り出す構造のトイレットペーパー保持体１の他の例を示す縦断側面図である。
【００８６】
本例のトイレットペーパー保持体１は、ロール押圧板１４が、側板２ｂ，２ｂの前端側下部対向面間に対し前記ロール押圧板４とは前後逆向きに取り付けられており、トイレットペーパーロールＡの後側下部外周面に対し押し付けられる方向にダブルトーションバネ５で回動付勢されている。
【００８７】
また、ロール押圧板１４には、前記紙切り刃４ｄが設けられておらず、保持板２の前端側上部に、トイレットペーパーロールＡの上側から送り出されたトイレットペーパーＡａを幅方向に切断するための紙切り刃１５が設けられている。
【００８８】
つまり、ロール押圧板４の後端側を押し下げて、トイレットペーパーロールＡを、トイレットペーパーＡａの送り出し側端部が上部紙切り刃１５より前方へ送り出される方向（図中に示す矢印方向）に回転させる。
【００８９】
トイレットペーパーＡａの送り出し側端部が上部紙切り刃１５より前方へ送り出されるので、トイレットペーパーＡａの送り出し側端部を指で摘んで、所望とする長さだけ引っ張り出して使用することができる。これにより、前記実施例と略同等の作用及び効果を奏することができる。
【００９０】
この発明の構成と、前記実施形態との対応において、  
この発明の押圧板付勢手段は、実施例のダブルトーションバネ５に対応し、  
以下同様に、  
接触抵抗付与手段は、粘着部材７と、ギア８，９に対応するも、  
この発明は、上述の実施形態の構成のみに限定されるものではなく、請求項に示される技術思想に基づいて応用することができ、多くの実施の形態を得ることができる。
【００９１】
例えば支持軸３を、該支持軸３に内蔵された一方向クラッチによってトイレットペーパーＡａが送り出される方向に回動規制してもよい。  
ロール押圧板４の前端側上面に、側面から見て半円形状の突起４ｅ，４ｆ，４ｇを１条形成するか、同一の大きさ及び形状の突起４ｅ，４ｆ，４ｇを複数条形成してもよい。  
突起４ｅ，４ｆ，４ｇを、紙切り刃４ｄ直後の前端側上面に沿って幅方向に対し所定間隔に隔てて部分的に形成してもよい。また、突起４ｅ，４ｆ，４ｇを、ロール押圧板４の前端側上面に対し着脱自在にネジ止め固定してもよい。
【００９２】
さらに、保持板２の上面に、トイレットペーパーロールＡの上面側が覆われる上部カバーを取り付けてもよい。
【００９３】
なお、保持板２及びロール押圧板４は、例えばプラスチック、セラミックス、ガラス、陶器、厚紙、木等の材質で形成してもよい。
【００９４】
また、突起４ｅ，４ｆ，４ｇの側面形状は、例えば三角形状、台形状、四角形状、楕円形状、半球形状等に形成することができる。
【符号の説明】
【００９５】
Ａ…トイレットペーパーロール
Ａａ…トイレットペーパー
Ａｂ…巻き芯
１…トイレットペーパー保持体
２…保持板
２ｃ…凹溝
２ｆ…孔部
３…支持軸
４…ロール押圧板
４ｄ…紙切り刃
４ｅ，４ｆ，４ｇ…突起
４ｈ…操作部
５…ダブルトーションバネ
６…ネジ部材
７…粘着部材
８，９…ギア
１４…ロール押圧板
１５…紙切り刃
【図１】
0005436961.tif 000002
【図２】
0005436961.tif 000003
【図３】
0005436961.tif 000004
【図４】
0005436961.tif 000005
【図５】
0005436961.tif 000006
【図６】
0005436961.tif 000007
【図７】
0005436961.tif 000008
【図８】
0005436961.tif 000009
【図９】
0005436961.tif 000010